(57)【要約】【課題】撮影時に選択可能な撮影シーンの追加作業を簡単に行うことができるカメラ装置及び撮影シーン登録方法等を提供する。【解決手段】任意の撮影シーンを構成するシーン要素（人物、花、ペット、屋外、昼間等）毎の撮影パラメータを予め記憶しておき、かつ各シーン要素を複数種（被写体１，２、場所、時間帯等）に分類しておき、ユーザーに、所望とする任意の撮影シーンを構成するシーン要素を種類毎に選択させる。複数のシーン要素からなる新たな撮影シーンのシーン名称を各シーン要素の名称から作成し、かつ新たな撮影シーンに対応する撮影パラメータを、各シーン要素の撮影パラメータに基づき作成する。作成したシーン名称と撮影パラメータとを対応付けて記憶することにより、新たな撮影シーンを登録する。所望する撮影シーンに該当する所定の状況下において所定の被写体を事前に撮影しなくとも、任意の撮影シーンが追加可能となる。【選択図】      図４
2006148724.tif 000002
【特許請求の範囲】
【請求項１】
複数の撮影シーンにそれぞれ対応する複数の撮影条件が記憶された記憶手段を備え、撮影時における装置の撮影条件を、撮影に先立ち選択された撮影シーンに対応して前記記憶手段に記憶されている撮影条件に制御するカメラ装置において、
任意の撮影シーンの構成要素となる複数のシーン要素、及び各シーン要素に決められている撮影条件である要素条件を記憶する要素条件記憶手段と、
この要素条件記憶手段に記憶されているシーン要素の内から、使用者に任意のシーン要素を複数選択させる選択制御手段と、
使用者に選択された複数のシーン要素により構成される新たな撮影シーンに対応する新たな撮影条件を、前記要素条件記憶手段に記憶されている当該複数のシーン要素毎に決められている撮影条件である要素条件に基づき生成する生成手段と、
この生成手段により生成された新たな撮影条件を前記新たな撮影シーンを示すシーン情報と対応付けて共に前記記憶手段に記憶させる登録手段と
を備えたことを特徴とするカメラ装置。
【請求項２】
前記要素条件記憶手段に記憶されている複数のシーン要素はシーン要素の種類に応じて分類され、
前記選択制御手段は、前記要素条件記憶手段に記憶されている複数のシーン要素の内から、分類されている種類毎にシーン要素を使用者に選択させる
ことを特徴とする請求項１記載のカメラ装置。
【請求項３】
前記要素条件は撮影時に設定する１又は複数の設定項目からなり、
前記生成手段は、複数の要素条件における設定項目の内容を反映した新たな撮影条件を生成し、かつ前記複数の要素条件における同一の設定項目の内容が異なる場合には、予め決められている優先順位が最高位の要素条件の内容を反映した新たな撮影条件を生成する
ことを特徴とする請求項１又は２記載のカメラ装置。
【請求項４】
前記優先順位は、前記複数の要素条件が対応する複数のシーン要素毎に設定されている優先順位であることを特徴とする請求項３記載のカメラ装置。
【請求項５】
前記優先順位は、前記複数の要素条件が対応する複数のシーン要素の種類毎に設定されている優先順位であることを特徴とする請求項３記載のカメラ装置。
【請求項６】
前記要素条件記憶手段には前記複数のシーン要素を示す要素名称が記憶され、
前記選択制御手段は、前記要素条件記憶手段に記憶されている要素名称を表示する表示手段を含み、この表示手段に表示した要素名称を介して複数のシーン要素を使用者に選択させ、
前記登録手段は、使用者に選択された複数のシーン要素を示す複数の要素名称を用いて前記新たな撮影シーンのシーン名称を作成する作成手段を含み、この作成手段により作成されたシーン名称を前記シーン情報として前記記憶手段に記憶させる
ことを特徴とする請求項１〜５のいずれか１項に記載のカメラ装置。
【請求項７】
前記要素条件記憶手段には前記複数のシーン要素を示す要素画像が記憶され、
前記選択制御手段は、前記要素条件記憶手段に記憶されている要素画像を表示する表示手段を含み、この表示手段に表示した要素画像を介して複数のシーン要素を選択させ、
前記登録手段は、使用者に選択された複数のシーン要素を示す複数の要素画像を用いて前記新たな撮影シーンの見本画像を作成する作成手段を含み、この作成手段により作成された見本画像を前記シーン情報として前記記憶手段に記憶させる
ことを特徴とする請求項１〜６のいずれか１項に記載のカメラ装置。
【請求項８】
複数の撮影シーンにそれぞれ対応する複数の撮影条件が記憶された記憶手段を備え、撮影時における装置の撮影条件を、撮影に先立ち選択された撮影シーンに対応して前記記憶手段に記憶されている撮影条件に制御するカメラ装置における撮影シーン登録方法であって、
任意の撮影シーンの構成要素となる複数のシーン要素を使用者に選択させる工程と、
使用者に選択された複数のシーン要素により構成される新たな撮影シーンに対応する新たな撮影条件を、使用者に選択された複数のシーン要素にそれぞれ決められている撮影条件である要素条件に基づき生成する工程と、
生成した新たな撮影条件を新たな撮影シーンに対応付けて前記記憶手段に記憶させる工程と
を含むことを特徴とする撮影シーン登録方法。
【請求項９】
複数の撮影シーンにそれぞれ対応する複数の撮影条件が記憶された記憶手段を備え、撮影時における装置の撮影条件を、撮影に先立ち選択された撮影シーンに対応して前記記憶手段に記憶されている撮影条件に制御するカメラ装置が有するコンピュータに、
任意の撮影シーンの構成要素となる複数のシーン要素を使用者に選択させる手順と、
使用者に選択された複数のシーン要素により構成される新たな撮影シーンに対応する新たな撮影条件を、使用者に選択された複数のシーン要素にそれぞれ決められている撮影条件である要素条件に基づき生成する手順と、
生成した新たな撮影条件を新たな撮影シーンに対応付けて前記記憶手段に記憶させる手順と
を実行させるためのプログラム。
【発明の詳細な説明】
【技術分野】
【０００１】
本発明は、例えばベストショット撮影機能を備えたデジタルカメラに用いて好適なカメラ装置及び撮影シーン登録方法に関するものである。
【背景技術】
【０００２】
従来、デジタルカメラにおいては、ポートレート、風景、夜景等の複数の撮影モードが設けられており、ユーザーは被写体に対応する撮影モードを予め選択しておくことにより、シャッタースピード、絞り値等の撮影条件を被写体に適したものに簡単に設定できるものが多い。さらに、デジタルカメラにおいては、互いに異なる撮影条件に基づく撮影結果を例示する見本画像を予め多数用意しておき、撮影者に、これから撮影しようとする被写体と同様の撮影シーン、或いは好みに応じた雰囲気の撮影シーンを見本画像を介して選択させ、撮影時には、選択された撮影シーンに対応するシャッタースピードや絞り値、色バランス等の撮影条件を自動的に設定する撮影機能（以下、ベストショット撮影機能と言う。）を備えたものが下記の特許文献１において公知である。また、係るデジタルカメラにおいては、撮影により取得された任意の画像に基づいて新たな撮影シーンに対応する撮影条件や見本画像を追加することも可能となっている。
【特許文献１】特開２００２−１０１３３号公報
【発明の開示】
【発明が解決しようとする課題】
【０００３】
しかしながら、上記のように撮影により取得された任意の画像に基づいて、撮影時に選択可能な撮影シーンを新たに追加することができたとしても、その場合には、事前に元となる画像を撮影したり、或いは既に取得（記録）されている必要がある。そのため、任意の撮影シーンを追加する場合には、その撮影シーンに該当する所定の状況下において所定の被写体を撮影することが不可欠であり、新たな撮影シーンの追加作業が簡単ではないという問題があった。
【０００４】
本発明は、かかる実情に課題に鑑みてなされたものであり、撮影時に選択可能な撮影シーンの追加作業を簡単に行うことができるカメラ装置及び撮影シーン登録方法と、それらを実現させるためのプログラムを提供することを目的とする。
【課題を解決するための手段】
【０００５】
前記課題を解決するため請求項１の発明にあっては、複数の撮影シーンにそれぞれ対応する複数の撮影条件が記憶された記憶手段を備え、撮影時における装置の撮影条件を、撮影に先立ち選択された撮影シーンに対応して前記記憶手段に記憶されている撮影条件に制御するカメラ装置において、任意の撮影シーンの構成要素となる複数のシーン要素、及び各シーン要素に決められている撮影条件である要素条件を記憶する要素条件記憶手段と、この要素条件記憶手段に記憶されているシーン要素の内から、使用者に任意のシーン要素を複数選択させる選択制御手段と、使用者に選択された複数のシーン要素により構成される新たな撮影シーンに対応する新たな撮影条件を、前記要素条件記憶手段に記憶されている当該複数のシーン要素毎に決められている撮影条件である要素条件に基づき生成する生成手段と、この生成手段により生成された新たな撮影条件を前記新たな撮影シーンを示すシーン情報と対応付けて共に前記記憶手段に記憶させる登録手段とを備えたものとした。
【０００６】
かかる構成においては、使用者により複数のシーン要素が選択されると、選択された複数のシーン要素からなる新たな撮影シーンが、撮影時に選択可能な撮影シーンとして記憶される一方、新たな撮影シーンに対応する撮影条件が、選択されたシーン要素毎に決められている複数の要素条件（撮影条件）に基づき生成され記憶される。
【０００７】
また、請求項２の発明にあっては、前記要素条件記憶手段に記憶されている複数のシーン要素はシーン要素の種類に応じて分類され、前記選択制御手段は、前記要素条件記憶手段に記憶されている複数のシーン要素の内から、分類されている種類毎にシーン要素を使用者に選択させるものとした。
【０００８】
かかる構成においては、シーン要素を使用者に種類毎に選択させることにより、使用者の意図を新たな撮影シーンに的確に反映させることができる。
【０００９】
また、請求項３の発明にあっては、前記要素条件は撮影時に設定する１又は複数の設定項目からなり、前記生成手段は、複数の要素条件における設定項目の内容を反映した新たな撮影条件を生成し、かつ前記複数の要素条件における同一の設定項目の内容が異なる場合には、予め決められている優先順位が最高位の要素条件の内容を反映した新たな撮影条件を生成するものとした。
【００１０】
かかる構成においては、使用者に要求された新たな撮影シーンに対応する新たな撮影条件として、より的確な撮影条件を生成し記憶することができる。
【００１１】
また、請求項４の発明にあっては、前記優先順位は、前記複数の要素条件が対応する複数のシーン要素毎に設定されている優先順位であるものとした。
【００１２】
また、請求項５の発明にあっては、前記優先順位は、前記複数の要素条件が対応する複数のシーン要素の種類毎に設定されている優先順位であるものとした。
【００１３】
また、請求項６の発明にあっては、前記要素条件記憶手段には前記複数のシーン要素を示す要素名称が記憶され、前記選択制御手段は、前記要素条件記憶手段に記憶されている要素名称を表示する表示手段を含み、この表示手段に表示した要素名称を介して複数のシーン要素を使用者に選択させ、前記登録手段は、使用者に選択された複数のシーン要素を示す複数の要素名称を用いて前記新たな撮影シーンのシーン名称を作成する作成手段を含み、この作成手段により作成されたシーン名称を前記シーン情報として前記記憶手段に記憶させるものとした。
【００１４】
かかる構成においては、使用者は表示手段に表示した要素名称によって各シーン要素の内容を確認しながら複数のシーン要素を選択することができる。よって、使用者が所望とする撮影シーンを指定（登録）する際の作業を向上させることができる。
【００１５】
また、請求項７の発明にあっては、前記要素条件記憶手段には前記複数のシーン要素を示す要素画像が記憶され、前記選択制御手段は、前記要素条件記憶手段に記憶されている要素画像を表示する表示手段を含み、この表示手段に表示した要素画像を介して複数のシーン要素を選択させ、前記登録手段は、使用者に選択された複数のシーン要素を示す複数の要素画像を用いて前記新たな撮影シーンの見本画像を作成する作成手段を含み、この作成手段により作成された見本画像を前記シーン情報として前記記憶手段に記憶させるものとした。
【００１６】
かかる構成においては、使用者は表示手段に表示した要素画像によって各シーン要素の内容を確認しながら複数のシーン要素を選択することができる。よって、使用者が所望とする撮影シーンを指定（登録）する際の作業を向上させることができる。
【００１７】
また、請求項８の発明にあっては、複数の撮影シーンにそれぞれ対応する複数の撮影条件が記憶された記憶手段を備え、撮影時における装置の撮影条件を、撮影に先立ち選択された撮影シーンに対応して前記記憶手段に記憶されている撮影条件に制御するカメラ装置における撮影シーン登録方法であって、任意の撮影シーンの構成要素となる複数のシーン要素を使用者に選択させる工程と、使用者に選択された複数のシーン要素により構成される新たな撮影シーンに対応する新たな撮影条件を、使用者に選択された複数のシーン要素にそれぞれ決められている撮影条件である要素条件に基づき生成する工程と、生成した新たな撮影条件を新たな撮影シーンに対応付けて前記記憶手段に記憶させる工程とを含む方法とした。
【００１８】
かかる方法においては、使用者により複数のシーン要素が選択されると、選択された複数のシーン要素からなる新たな撮影シーンが、撮影時に選択可能な撮影シーンとして記憶される一方、新たな撮影シーンに対応する撮影条件が、選択されたシーン要素毎に決められている複数の撮影条件に基づき生成され記憶される。
【００１９】
また、請求項９の発明にあっては、複数の撮影シーンにそれぞれ対応する複数の撮影条件が記憶された記憶手段を備え、撮影時における装置の撮影条件を、撮影に先立ち選択された撮影シーンに対応して前記記憶手段に記憶されている撮影条件に制御するカメラ装置が有するコンピュータに、任意の撮影シーンの構成要素となる複数のシーン要素を使用者に選択させる手順と、使用者に選択された複数のシーン要素により構成される新たな撮影シーンに対応する新たな撮影条件を、使用者に選択された複数のシーン要素にそれぞれ決められている撮影条件である要素条件に基づき生成する手順と、生成した新たな撮影条件を新たな撮影シーンに対応付けて前記記憶手段に記憶させる手順とを実行させるためのプログラムとした。
【発明の効果】
【００２０】
以上のように本発明においては、使用者により複数のシーン要素が選択されると、選択された複数のシーン要素からなる新たな撮影シーンが、撮影時に選択可能な撮影シーンとして記憶される一方、新たな撮影シーンに対応する撮影条件が、選択されたシーン要素毎に決められている複数の要素条件（撮影条件）に基づき生成され記憶されるようにした。よって、使用者は、複数のシーン要素を選択するだけで、撮影時に選択可能な撮影シーンの追加作業を簡単に行うことが可能となる。
【００２１】
また、シーン要素を使用者に種類毎に選択させることにより、使用者の意図を新たな撮影シーンに的確に反映させることができる。
【００２２】
また、使用者に要求された新たな撮影シーンに対応する新たな撮影条件として、より的確な撮影条件を生成し記憶することができる。
【００２３】
また、使用者が表示手段に表示した要素名称や要素画像によって各シーン要素の内容を確認しながら複数のシーン要素を選択することができるようにした。よって、使用者が所望とする撮影シーンを指定（登録）する際の作業を向上させることができる。
【発明を実施するための最良の形態】
【００２４】
以下、本発明の一実施の形態を図にしたがって説明する。図１は、本発明に係るデジタルカメラ１の電気的構成の概略を示すブロック構成図である。このデジタルカメラ１は、既説したベストショット撮影機能を備えたものであって、撮像手段であるＣＣＤ２により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えるとともに、カレンダ機能を有するクロックを含むＭＰＵ３を中心に構成されている。
【００２５】
ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００２６】
また、ＭＰＵ３には、タイミング信号を発生するＴＧ（Timing Generator）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されアナログ信号処理部１２へ送られる。アナログ信号処理部１２は、ＣＣＤ２から出力された撮像信号を保持するＣＤＳ（Correlated Double Sampling：相関二重サンプリング回路）と、ＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤ２の出力信号は、ここで黒レベルを合わせてサンプリングされデジタル信号としてＭＰＵ３に送られる。
【００２７】
また、ＭＰＵ３には電源回路１３と、各種のスイッチ群を含む操作キー部１４、ＴＦＴ液晶モニター１５、ストロボ１６、ＤＲＡＭ１７、ＭＲＯＭ１８、カードドライブ１９が接続されており、カードドライブ１９には本発明の画像記録手段であるメモリカード２０が装着されている。操作キー部１４は、モード切替キーやシャッターキー、ズームキー、各種の設定操作に用いられる上下左右のカーソルキーと決定キーとが一体化された複合キー等の複数の操作キーからなり、ユーザーのキー操作に応じた操作信号をＭＰＵ３に送る。
【００２８】
ＤＲＡＭ１７は作業用のメモリであって、ＣＣＤ２からＭＰＵ３に送られたデジタル信号（撮像信号）はＤＲＡＭ１７に一時保存されるとともに、ＭＰＵ３によって各種の画像処理が施された後、最終的には圧縮された画像データとしてメモリカード２０に記録される。メモリカード２０に記録された画像データは、必要に応じてＭＰＵ３に読み出され、伸長処理、輝度信号及び色信号の付加等の処理を経てデジタルビデオ信号やアナログビデオ信号に生成された後、液晶モニタ１５によって表示される。また液晶モニタ１５には、記録モードにおいて周期的に撮像された画像が所定の画素数に間引きされた後、スルー画像として表示される。さらにＴＦＴ液晶モニター１５は本発明の表示手段として機能し、必要に応じて後述する見本画像や選択画面も表示する。
【００２９】
ＭＲＯＭ１８は本発明の記憶手段、要素条件記憶手段であり、ＥＥＰＲＯＭやフラッシュメモリ等の書き換え可能な不揮発性メモリである。ＭＲＯＭ１８のメモリ空間には、図２に示したように、ＭＰＵ３における各部の制御及びデータ処理に必要な各種の制御プログラムが格納されたプログラムデータ領域１８ａと、撮影時の適正な露出値（ＥＶ）に対応する絞り値（Ｆ）とシャッタースピードとの組み合わせを示すプログラム線図を構成するプログラムＡＥデータや、後述する他のデータが格納された各種データ領域１８ｂと、シーンデータ領域１８ｃとが確保されている。
【００３０】
シーンデータ領域１８ｃには、記録（ＲＥＣ）モードの下位モードであるベストショットモードで使用されるシーンデータ１０１が格納されており、シーンデータ１０１は見本画像データ１０２、撮影条件データ１０３、説明文データ１０４から構成されている。見本画像データ１０２は、予め用意されている選択可能な複数の撮影シーンの各々に対応するとともに、ベストショットモードでのシーン選択時に液晶モニタ１５に表示される見本画像のデータである。説明文データ１０４は、見本画像と共に液晶モニタ１５に表示され、前記複数の撮影シーンの内容を示す説明文の文字列データである。
【００３１】
図３は、撮影条件データ１０３の構成を示したものであり、撮影条件データ１０３は、データ管理用のシーン番号及びシーン名称に割り当てられているシーン番号１０３ａ及びシーン名称１０３ｂと、それと対応して予め設定されているデジタルカメラ１の撮影条件を示すデータ、すなわちフォーカス制御、シャッター速度、絞り、ＥＶシフト量、感度、・・・といったデジタルカメラ１において制御可能な複数の制御項目の内容を示す撮影パラメータ１０３ｃから構成される。
【００３２】
また、前記各種データ領域１８ｂには、前述したプログラムＡＥデータと共に、図４に示した構成要素別撮影パラメータ情報テーブル（以下、単に撮影パラメータ情報テーブルと呼ぶ。）Ｔ１、及び図５に示した構成要素別優先順位情報テーブル（以下、単に優先順位情報テーブルと呼ぶ。）Ｔ２を構成するデータが格納されている。撮影パラメータ情報テーブルＴ１（図４）は、予め決められている任意の撮影シーンの構成要素（シーン要素）の具体的な内容を示す要素名称（人物、花、ペット、屋外、昼間、・・・）と、それらが含まれる構成要素の種類（被写体１，２、場所、時間帯、・・・）、及び「被写体１，２」に分類されている構成要素（要素名称：人物、花、ペット）に対応するサンプル画像（要素画像）を示す構成要素情報２０１と、構成要素毎に予め決められている要素別撮影パラメータ２０２（要素条件）を示す情報テーブルである。なお、サンプル画像の実体（画像データ）は各種データ領域１８ｂに別途格納されている。
【００３３】
また、優先順位情報テーブルＴ２（図５）は、上述した構成要素（要素名）毎に設定されているとともに、後述する撮影シーン登録モードにおいて任意の撮影シーンの撮影パラメータを決定する際に使用される優先順位を示す情報テーブルである。なお、本実施の形態においては、構成要素毎に、それが含まれる種類毎の優先度に応じ、かつその内容の優先度に応じた優先順位が設定されている。すなわち優先度のより高い種類の構成要素により高い優先順位が設定され、かつ優先度のより高い構成要素により高い優先順位が設定されている。
【００３４】
そして、ＭＰＵ３は、ＭＲＯＭ１８に記憶されている制御プログラムに基づき動作することにより、ＡＥ（自動露出）制御、ＡＦ（オートフォーカス）制御、ＡＷＢ（オートホワイトバランス）制御を行う。また、前述したベストショットモードでは、使用者の操作に応じた見本画像等の表示制御や、ユーザーにより選択された見本画像（撮影シーン）に応じた撮影条件の設定に関する制御を行う。さらに、動作モードとして予め用意されている撮影シーン登録モードでは、後述する処理を行うことにより、ＴＦＴ液晶モニター１５と共に本発明の選択制御手段として機能するとともに、生成手段、登録手段（作成手段を含む）として機能する。
【００３５】
次に、以上の構成からなるデジタルカメラ１の動作を説明する。図６は、ユーザーによって撮影シーン登録モードが設定されたときＭＰＵ３が実行する撮影シーン登録処理の手順を示したフローチャートである。
【００３６】
係るモードにおいてＭＰＵ３は、まずＭＲＯＭ１８に記憶されている前記撮影パラメータ情報テーブルＴ１の各データを読み出し、それに基づき図７（ａ）、同図（ｂ）に示したような、前述した構成要素の要素名称を示すと同時に、所望の要素名称を種類毎に選択可能としたシーン登録用のメニュー画面３０１をＴＦＴ液晶モニター１５に表示させる（ステップＳ１）。そして、係るメニュー画面３０１から、ユーザーに前述した複合キーの操作により画面内のオプションボタンを操作させることによって任意の撮影シーンの構成要素を種類毎に選択させる（ステップＳ２）。
【００３７】
ユーザーによる構成要素の選択操作が終了したら（ステップＳ３でＹＥＳ）、撮影パラメータ情報テーブルＴ１（図４参照）を参照し、選択された各構成要素に対応する撮影パラメータを取得する（ステップＳ４）。ここで取得した撮影パラメータに重複がある場合には（ステップＳ５でＹＥＳ）、優先順位情報テーブルＴ２（図５参照）を参照し、重複する撮影パラメータのうち優先順位の最も高い撮影パラメータを選択する（ステップＳ６）。例えばメニュー画面３０１において図７（ａ）に示したように被写体１から「人物」が選択され、かつ被写体２から「花」が選択されていた場合には、重複している「フォーカス」の制御内容として優先順位が高い「人物」側の「オート」が選択される。また、ステップＳ５の判別結果がＮＯであって重複する撮影パラメータがない場合、例えばメニュー画面３０１において図７（ｂ）に示したように被写体１から「人物」、被写体２から「ペット」、場所から「屋外」、時間帯から「昼間」がそれぞれ選択されていた場合には、そのままステップＳ７へ進む。
【００３８】
ステップＳ７では、種類毎に選択された構成要素の要素名称を組み合わせて所定の規則に従って新たなシーン名称を作成する。例えば図７（ａ）に示した例では、要素名称「人物」及び「花」から「人物と花」といったシーン名称を作成し、図７（ｂ）に示した例では、要素名称「人物」、「ペット」、「屋外」、「昼間」から「人物とペット（屋外、昼間）」といったシーン名称を作成する。さらに、選択された構成要素に対応するサンプル画像を所定の規則に従って合成して新たな見本画像を作成する（ステップＳ８）。しかる後、作成したシーン名称と取得又は選択した撮影パラメータからなる新たな撮影条件データと、作成した新たな見本画像とを、ＭＲＯＭ１８のシーンデータ領域１８ｃに記憶されているベストショットモードで使用されるシーンデータ１０１に追加記憶し、処理を完了する。
【００３９】
図８は、上記の処理によってシーンデータ１０１に追加記憶される、新たなシーン名称１０３ｂ及び撮影パラメータ１０３ｃからなる新たな撮影条件データ１０３を示した図であり、同図（ａ）は、選択された構成要素が図７（ａ）に示したものであった場合の例、同図（ｂ）は、選択された構成要素が図７（ｂ）に示したものであった場合の例である。同様に、図９（ａ）及び同図（ｂ）は、構成要素に対応するサンプル画像を合成するとき、被写体１、２のサンプル画像を左右に配置して合成する場合に、シーンデータ１０１に追加記憶される新たな見本画像４０１を示した図であり、選択された構成要素が図７（ａ）及び同図（ｂ）に示したものであった場合にそれぞれ対応する図である。なお、図９（ｃ）は、上記と異なり被写体１のサンプル画像の右下に、被写体２のサンプル画像を縮小して合成する場合の例である。
【００４０】
これにより、ベストショットモードでのシーン選択時には、図９（ａ）〜（ｃ）に示したような新たな４０１が他の見本画像と共に液晶モニタ１５に表示され、ユーザーによって、その見本画像４０１（追加された新たな撮影シーン）が選択された時には、その撮影シーンに対応する撮影条件が自動的に設定されることとなる。
【００４１】
以上のように本実施の形態によれば、ユーザーは、所望する撮影シーンに該当する所定の状況下において所定の被写体を事前に撮影しなくとも、撮影シーン登録モードにおいて、メニュー画面３０１から複数の構成要素を選択するだけで、ベストショットモードでの撮影に際して選択可能な撮影シーンとして任意の撮影シーンを追加（登録）することができる。つまり所望とする撮影シーンの追加作業を極めて簡単に行うことができる。
【００４２】
しかも、選択可能な複数の構成要素を構成内容に即して複数種類に分類し、構成要素をユーザーに種類毎に選択させるため、ユーザーの意図を新たな撮影シーンに的確に反映させることができる。
【００４３】
さらに、選択された構成要素に基づく撮影シーンに対応する新たな撮影パラメータ１０３ｃの生成に際しては、前述したように重複（競合）する撮影パラメータを、構成要素毎に、それが含まれる種類毎の優先度に応じ、かつその内容の優先度に応じた優先順位に基づき選択的に反映させることから、要求された新たな撮影シーンに対応する新たな撮影パラメータ１０３ｃとして、より的確な撮影パラメータ１０３ｃを生成し記憶することができる。
【００４４】
なお、本実施の形態では、同一の種類の構成要素に異なる優先順位を設定しておくようにしたが、構成要素の種類のみに優先順位を設定しておいても構わない。また構成要素に優先順位を設定しておくのではなく、例えば図１０に示したような撮影パラメータの内容別の優先順位を示す撮影パラメータ優先順位情報テーブルＴ３を別途用意しておき、新たな撮影パラメータ１０３ｃの生成に際して重複する撮影パラメータが存在する場合には、撮影パラメータ優先順位情報テーブルＴ３を用いて、優先順位が最も高い内容をその撮影パラメータの内容として選択（決定）するようにしてもよい。
【００４５】
また、ユーザーが複数の構成要素を選択する際には、その具体的な内容をメニュー画面３０１に表示された要素名称によって確認しながら行うことができるため、その際の作業性も良好である。なお、本実施の形態においては、メニュー画面３０１には選択可能な構成要素の要素名称を示すようにしたが、これに限らず、構成要素毎に用意されている前述したサンプル画像を、要素名称と共に、又は要素名称に代えて表示させるようにしてもよい。なお、サンプル画像を表示させた方が、選択可能な構成要素をユーザーに直感的に理解することができ、都合がよい。
【００４６】
また、本実施の形態では、選択された構成要素に対応するサンプル画像を合成して見本画像４０１を作成して記憶することにより、それをベストショットモードでの撮影時に選択可能としたが、見本画像４０１は必ずしも作成しなくともよい。その場合、ベストショットモードでは、新たに登録された撮影シーンをシーン名称（１０３ｂ）を介してユーザーに選択させればよい。
【００４７】
なお、以上の実施の形態においては本発明をデジタルカメラに適用したものを示したが、これに限らず本発明は、携帯電話等の携帯情報端末に内蔵されているカメラにも採用することができる。
【図面の簡単な説明】
【００４８】
【図１】本発明に係るデジタルカメラのブロック構成図である。
【図２】ＭＲＯＭに格納されているデータを示す概念図である。
【図３】撮影条件データの例を示す概念図である。
【図４】構成要素別撮影パラメータ情報テーブルの例を示す概念図である。
【図５】構成要素別優先順位情報テーブルの例を示す概念図である。
【図６】撮影シーン登録モードによる動作を示すフローチャートである。
【図７】シーン登録用のメニュー画面、及び構成要素の選択状態の例を示す図である。
【図８】新たに追加記憶される撮影条件データの例を示す図である。
【図９】新たに追加記憶される見本画像の例を示す図である。
【図１０】本実施の形態の変形例で使用する撮影パラメータ優先順位情報テーブルの例を示す概念図である。
【符号の説明】
【００４９】
１    デジタルカメラ
２    ＣＣＤ
３    ＭＰＵ
１４    操作キー部
１５    ＴＦＴ液晶モニター
１８    ＭＲＯＭ
１８ａ    プログラムデータ領域
１８ｂ    各種データ領域
１８ｃ    シーンデータ領域
２０    メモリカード
１０１    シーンデータ
１０２    見本画像データ
１０３    撮影条件データ
１０３ａ    シーン番号
１０３ｂ    シーン名称
１０３ｃ    撮影パラメータ
２０１    構成要素情報
２０２    要素別撮影パラメータ
３０１    メニュー画面
４０１    見本画像
Ｔ１    構成要素別撮影パラメータ情報テーブル
Ｔ２    構成要素別優先順位情報テーブル
【図１】
2006148724.tif 000003
【図２】
2006148724.tif 000004
【図３】
2006148724.tif 000005
【図４】
2006148724.tif 000006
【図５】
2006148724.tif 000007
【図６】
2006148724.tif 000008
【図７】
2006148724.tif 000009
【図８】
2006148724.tif 000010
【図９】
2006148724.tif 000011
【図１０】
2006148724.tif 000012